(57)【要約】【課題】屋根の断熱通気工事を著しく容易にしてその工事に要する作業時間を大幅に短縮すると同時に、工事費も大幅に低減し、更に、作業者が断熱ボードを踏みつけて破損・損傷するおそれ等を解消して安全に作業できるようにする。【解決手段】屋根の軒から棟の方向へ渡す複数本の角材２、３、４が上板５と下板６との間に並列に配置されると共に、その角材２、３、４に上板５と下板６が接合され、下板６の内面にその内面を覆う断熱ボード７Ｒ、７Ｌが貼着され、該断熱ボード７Ｒ、７Ｌと上板５との間に屋根通気層となる隙間８Ｒ、８Ｌが形成されている。【選択図】  図３
2004285782.tif 000002
【特許請求の範囲】
【請求項１】
木造住宅の屋根の下地材として用いる屋根パネルであって、屋根の軒から棟の方向へ渡す複数本の角材（２、３、４）が上板（５）と下板（６）との間に並列に配置されると共に、その角材（２、３、４）に上板（５）と下板（６）が接合され、下板（６）の内面にその内面を覆う断熱ボード（７Ｒ、７Ｌ）が貼着され、該断熱ボード（７Ｒ、７Ｌ）と上板（５）との間に屋根通気層となる隙間（８Ｒ、８Ｌ）が形成されていることを特徴とする屋根パネル。
【請求項２】
前記上板（５）が耐水性合板で成り、前記下板（６）が野地板用合板で成る請求項１記載の屋根パネル。
【請求項３】
、前記下板（６）と前記断熱ボード（７Ｒ、７Ｌ）を貫通して前記隙間（８Ｒ、８Ｌ）を外壁通気層と連通させる開口部（９Ｒ、９Ｌ、９、２２）が形成されている請求項１又は２記載の屋根パネル。
【発明の詳細な説明】
【０００１】
【発明の属する技術分野】
本発明は、木造住宅の屋根の下地材として用いる屋根パネルに関する。
【０００２】
【従来の技術】
最近は、冷暖房コストが嵩まない省エネ住宅を実現するためや、各部屋の温度差を少なくして高齢者が寒暖によるヒートショックを起こさないようにするために、住宅の各部の中で最も日射の影響を受ける屋根面に断熱層を設けると共に、該断熱層に屋根表面の熱が直接伝わって断熱材が劣化しその断熱性能が損なわれることを防止するためや、夏季に小屋裏の温度が著しく上昇しないようにするために、断熱層の上に屋根通気層を設ける断熱通気工法が行われている。
【０００３】従来一般の断熱通気工法は、図７に示す如く、まず、屋根の垂木を受ける構造材である母屋７０の上に角材で成る下垂木７１、７１…を取り付け、次に、その上に厚さ５０ｍｍ前後の断熱ボード７２、７２…を互いに密接するように張りつめ、更にその上に角材で成る上垂木７３、７３…を軒から棟の方向に渡すように取り付けた後、通常の屋根構造と同じく、上垂木７３、７３…の上に野地板となる構造用合板（図示せず）を張り付け、次いで、ルーフィング、屋根仕上材の順に施工するようにしている。
【０００４】これにより、断熱ボード７２、７２…と野地板（構造用合板）との間（上垂木７３、７３…の部分）に屋根通気層７４、７４…を形成し、その屋根通気層で軒先から棟の方へ空気を通して棟換気口から戸外へ排出するようになっている。
【０００５】
【発明が解決しようとする課題】
しかしながら、上記の如く母屋７０の上に下垂木７１、７１…を取り付けて、その上に断熱ボード７２、７２…を張りつめ、更にその上に上垂木７３、７３…を取り付ける施工は、通常一般の屋根工事に比べて非常に手間が掛かるので、建築工期が長くなると同時に、建築コストも嵩むという問題があった。また、断熱ボード７２を施工する際に、誤って、その断熱ボード７２を踏みつけて破損・損傷したり、踏み抜いて作業者が転落するおそれもあった。
【０００６】そこで本発明は、屋根の断熱通気工事を著しく容易にしてその工事に要する作業時間を大幅に短縮すると同時に、工事費も大幅に低減し、更に、作業者が断熱ボードを踏みつけて破損・損傷するおそれ等を解消して安全に作業できるようにすることを主たる技術的課題とし、また、屋根通気層に外壁通気層を連通させて住宅全体の通気・換気を行えるようにすることも課題としている。
【０００７】
【課題を解決するための手段】
上記課題を解決するために、本発明は、木造住宅の屋根の下地材として用いる屋根パネルであって、屋根の軒から棟の方向へ渡す複数本の角材が上板と下板との間に並列に配置されると共に、その角材に上板と下板が接合され、下板の内面にその内面を覆う断熱ボードが貼着され、該断熱ボードと上板との間に屋根通気層となる隙間が形成されていることを特徴とする。
【０００８】本発明の屋根パネルは、上板と下板との間に、断熱ボードで成る断熱層と、屋根通気層となる隙間が予め形成されると共に、垂木と同じように屋根の軒から棟の方向へ渡す複数本の角材が並列に配置されているので、これを屋根面に張りつめるように取り付けて、その上にルーフィングと屋根仕上材を施工するだけの簡単な作業で、屋根工事が完了する。
【０００９】したがって、従来の断熱通気工法による屋根工事に比べてその工期が著しく短縮されると同時に、工事費も大幅に短縮される。また、工事中に断熱ボードを破損・損傷するおそれや、作業者が断熱ボードを踏み抜いて転落するおそれもない。
【００１０】
【発明の実施の形態】
以下、本発明の実施形態を図面によって具体的に説明する。
図１は本発明に係る屋根パネルの一例を示す底面図、図２はそのＡ−Ａ線断面図、図３はそのＢ−Ｂ線断面図、図４はその施工例を示す断面図、図５は本発明に係る屋根パネルの他の例を示す底面図、図６はそのＣ−Ｃ線断面図である。
【００１１】図１の屋根パネル１は、軒先用の屋根パネルであって、屋根の軒から棟の方向へ渡す３本の角材２、３及び４が、耐水性合板で成る上板５と、野地板用合板（構造用合板）で成る下板６との間に並列に配置されると共に、その角材２、３及び４に上板５と下板６が接着あるいはビス留め等によって接合されている。
【００１２】そして、下板６の内面には、その内面を覆う硬質ウレタンフォームあるいはフェノールフォーム等の断熱ボード７Ｒ、７Ｌが貼着され、各断熱ボード７Ｒ、７Ｌと上板５との間に、屋根通気層となる隙間８Ｒ、８Ｌが形成されている。
【００１３】なお、屋根パネル１は、その全体サイズが例えば縦横３０００×１０００ｍｍ、厚さ１１８ｍｍにユニット化され、上板５と下板６の板厚は各々９ｍｍ、断熱ボード７Ｒ、７Ｌの厚さは８０ｍｍ、隙間８Ｒ、８Ｌの距離は２０ｍｍに選定されている。
【００１４】また、下板６側には、その下板６と断熱ボード７Ｒ、７Ｌを貫通して屋根通気層となる隙間８Ｒ、８Ｌを図４に示す外壁通気層１０と連通させる開口部９Ｒ、９Ｌが形成されている。
【００１５】以上が、図１に示す屋根パネル１の構成であり、次に、その屋根パネルの施工例を図４により説明する。屋根パネル１は、上板５と下板６との間に設けた角材２、３及び４を軒から棟の方向へ渡すように配して、下板６側に設けた開口部９Ｒ、９Ｌを外壁通気層１０に連通させた状態とし、その状態で、上板５側から釘もしくはビスを打ち込んで軒げた１１に固定すると共に、軒先側の端部に鼻隠し１２を取り付けた後、その屋根パネル１の上に、ルーフィング（図示せず）と屋根仕上材１３を施工すれば、断熱層と通気層とを設けた屋根が完成する。
【００１６】したがって、屋根工事の手間やコストが従来に比べて著しく軽減される。また、屋根パネル１を施工する際に、作業者が断熱ボード７Ｒ、７Ｌを踏みつけて破損・損傷させたり、踏み抜いて転落するおそれもない。
【００１７】更に、屋根パネル１に形成された隙間８Ｒ、８Ｌで成る屋根通気層と、断熱材を外側に配した外断熱の壁構造体１４とサイディング張り等で成る外壁１５との間に形成された外壁通気層１０とが、互いに連通せられることによって、住宅全体の通気・換気が行われるので、各部屋の温度差が少なくなってヒートショックが軽減され、家具や建材等から発生するＶＯＣや、生活によって発生する湿気、臭気等も棟換気口から効率的に排出されて、快適な住環境が作り出される。
【００１８】図５の屋根パネル２１は、切り妻屋根などの端に設けるケラバ用の屋根パネルであって、該屋根パネル２１には、軒先側の外壁通気層１０に連通させる開口部９と、ケラバ側の外壁通気層（図示せず）に連通させる開口部２２、２２…とが形成されている。
【００１９】したがって、図１の屋根パネル１と図５の屋根パネル２１とを併用すれば、住宅の周囲全体に形成された外壁通気層を屋根通気層に連通させることができる。なお、屋根パネル２１の屋根パネル１と共通する部分には同一符号を付し、その詳細説明は省略する。
【００２０】また、本発明に係る屋根パネルは、単に軒先側から棟の方向へ空気を流通させる屋根通気のみを行うものであってもよく、その場合は、外壁通気層と連通させる開口部９Ｒ、９Ｌあるいは９、２２を形成しなくともよい。また、上板と下板との間に配置する角材は、３本に限らず、２本であってもよい。
【００２１】
【発明の効果】
本発明によれば、屋根の断熱通気工事が著しく容易になり、その工事に要する作業時間を大幅に短縮されると同時に、工事費も大幅に低減され、また、作業者が断熱のために設ける断熱ボードを踏みつけて破損・損傷したり、これを踏み抜いて転落するおそれも解消されるという種々の優れた効果を有する。
【図面の簡単な説明】
【図１】本発明に係る屋根パネルの一例を示す底面図
【図２】図１のＡ−Ａ線断面図
【図３】図１のＢ−Ｂ線断面図
【図４】本発明に係る屋根パネルの施工例を示す断面図
【図５】本発明に係る屋根パネルの他の例を示す底面図
【図６】図５のＣ−Ｃ線断面図
【図７】従来技術を説明する斜視図
【符号の説明】
１………………屋根パネル            ９………………開口部
２………………角材                ２１………………屋根パネル
３………………角材                ２２………………開口部
４………………角材
５………………上板
６………………下板
７Ｒ……………断熱ボード
７Ｌ……………断熱ボード
８Ｒ……………隙間（屋根通気層）
８Ｌ……………隙間（屋根通気層）
９Ｒ……………開口部
９Ｌ……………開口部
【図１】
2004285782.tif 000003
【図２】
2004285782.tif 000004
【図３】
2004285782.tif 000005
【図４】
2004285782.tif 000006
【図５】
2004285782.tif 000007
【図６】
2004285782.tif 000008
【図７】
2004285782.tif 000009